(57)【特許請求の範囲】
【請求項１】
撮像手段と、
静止画と動画で異なるアスペクト比を設定できるアスペクト比設定手段と、
前記撮像手段による撮像画像を記録する記録手段であって、記録モードとして、前記撮像画像を前記アスペクト比設定手段で設定された設定アスペクト比に対応した設定範囲でトリミングした画像を記録する第１の記録モードと、前記撮像画像を前記設定アスペクト比にトリミングせずに記録し、さらに前記設定アスペクト比に関するアスペクト比情報を記録画像の属性情報として記録する第２の記録モードとを設定できる記録手段と、
前記第１の記録モードと前記第２の記録モードのいずれが設定されているかを判定する判定手段と、
前記判定手段により、前記第１の記録モードが設定されていると判定された場合には、撮像画像のうちの、前記設定アスペクト比に対応した設定範囲に含まれない範囲を表示せずに、前記設定アスペクト比に対応した設定範囲に含まれる範囲を表示し、前記判定手段により、前記第２の記録モードが設定されていると判定された場合には前記設定アスペクト比に対応した設定範囲に含まれない範囲まで撮像画像を表示し、前記撮像画像に重ねて、前記設定アスペクト比を示すアスペクト比表示を表示する表示手段
とを有し、
前記判定手段により、前記第１の記録モードが設定されていると判定された場合において、前記表示手段は、静止画と動画に対して同じ設定アスペクト比が設定されたときに、該設定アスペクト比に対応した設定範囲に含まれない範囲を表示せず、静止画と動画に異なる設定アスペクト比が設定されたときに、静止画に設定された設定アスペクト比に対応した設定範囲に含まれる範囲と、静止画に設定された設定アスペクト比に対応した設定範囲に含まれない範囲のうち動画に設定された設定アスペクト比に対応した設定範囲に含まれる範囲とを表示する
ことを特徴とする撮像装置。
【請求項２】
前記アスペクト比表示は、前記設定アスペクト比を示す線からなることを特徴とする請求項１に記載の撮像装置。
【請求項３】
前記表示手段は、前記第１の記録モードでは、前記撮像画像のうちの、前記アスペクト比設定手段で設定されるアスペクト比に含まれない範囲をマスクすることを特徴とする請求項１又は２に記載の撮像装置。
【請求項４】
前記表示手段は、前記アスペクト比設定手段により、静止画に対する設定アスペクト比と動画に対する設定アスペクト比が異なる場合であって、前記撮像画像のアスペクト比と前記静止画に対する設定アスペクト比が異なるときに少なくとも前記静止画に対する設定アスペクト比を第１のアスペクト比表示で表示し、前記撮像画像のアスペクト比と前記動画に対する設定アスペクト比が異なるときに少なくとも前記動画に対する設定アスペクト比を前記第１のアスペクト比表示とは異なる第２のアスペクト比表示で表示することを特徴とする請求項１に記載の撮像装置。
【請求項５】
撮像手段と、
静止画と動画で異なるアスペクト比を設定できるアスペクト比設定手段と、
前記撮像手段による撮像画像を記録する記録手段であって、記録モードとして、前記撮像画像を前記アスペクト比設定手段で設定された設定アスペクト比に対応した設定範囲でトリミングした画像を記録する第１の記録モードと、前記撮像画像を前記設定アスペクト比にトリミングせずに記録し、さらに前記設定アスペクト比に関するアスペクト比情報を記録画像の属性情報として記録する第２の記録モードとを設定できる記録手段と、
前記第１の記録モードと前記第２の記録モードのいずれが設定されているかを判定する判定手段と、
前記判定手段により、前記第１の記録モードが設定されていると判定された場合には、撮像画像のうちの、前記設定アスペクト比に対応した設定範囲に含まれない範囲を表示せずに、前記設定アスペクト比に対応した設定範囲に含まれる範囲を表示し、前記判定手段により、前記第２の記録モードが設定されていると判定された場合には前記設定アスペクト比に対応した設定範囲に含まれない範囲まで撮像画像を表示し、前記撮像画像に重ねて、前記設定アスペクト比を示すアスペクト比表示を表示する表示手段
とを有し、
前記表示手段は、前記アスペクト比設定手段により、静止画に対する設定アスペクト比と動画に対する設定アスペクト比が異なる場合であって、前記撮像画像のアスペクト比と前記静止画に対する設定アスペクト比が異なるときに少なくとも前記静止画に対する設定アスペクト比を第１のアスペクト比表示で表示し、前記撮像画像のアスペクト比と前記動画に対する設定アスペクト比が異なるときに少なくとも前記動画に対する設定アスペクト比を前記第１のアスペクト比表示とは異なる第２のアスペクト比表示で表示する
ことを特徴とする撮像装置。
【請求項６】
前記第１のアスペクト比表示は線表示であり、前記第２のアスペクト比表示はマスク表示であることを特徴とする請求項４または５に記載の撮像装置。
【請求項７】
前記記録手段は、前記第１の記録モードにおいて前記撮像画像を現像処理した現像画像を記録することを特徴とする請求項１乃至６の何れか１項に記載の撮像装置。
【請求項８】
前記記録手段は、前記第２の記録モードにおいて前記撮像画像としてＲＡＷ画像を記録することを特徴とする請求項１乃至７の何れか１項に記載の撮像装置。
【請求項９】
撮像ステップと、
静止画と動画で異なるアスペクト比を設定するアスペクト比設定ステップと、
前記撮像ステップにおいて得られた撮像画像を記録する記録ステップであって、記録モードとして、前記撮像画像を前記アスペクト比設定ステップにおいて設定された設定アスペクト比に対応した設定範囲でトリミングした画像を記録する第１の記録モードと、前記撮像画像を前記設定アスペクト比にトリミングせずに記録し、さらに前記設定アスペクト比に関するアスペクト比情報を記録画像の属性情報として記録する第２の記録モードとを設定できる記録ステップと、
前記第１の記録モードと前記第２の記録モードのいずれが設定されているかを判定する判定ステップと、
前記判定ステップにおいて、前記第１の記録モードが設定されていると判定された場合には、撮像画像のうちの、前記設定アスペクト比に対応した設定範囲に含まれない範囲を表示せずに、前記設定アスペクト比に対応した設定範囲に含まれる範囲を表示し、前記判定ステップにおいて、前記第２の記録モードが設定されていると判定された場合には前記設定アスペクト比に対応した設定範囲に含まれない範囲まで撮像画像を表示し、前記撮像画像に重ねて、前記設定アスペクト比を示すアスペクト比表示を表示する表示ステップ
とを有し、
前記判定ステップにおいて、前記第１の記録モードが設定されていると判定された場合には、前記表示ステップは、静止画と動画に対して同じ設定アスペクト比が設定されたときに、該設定アスペクト比に対応した設定範囲に含まれない範囲を表示せず、静止画と動画に異なる設定アスペクト比が設定されたときに、静止画に設定された設定アスペクト比に対応した設定範囲に含まれる範囲と、静止画に設定された設定アスペクト比に対応した設定範囲に含まれない範囲のうち動画に設定された設定アスペクト比に対応した設定範囲に含まれる範囲とを表示する
ことを特徴とする撮像装置の制御方法。
【請求項１０】
撮像ステップと、
静止画と動画で異なるアスペクト比を設定できるアスペクト比設定ステップと、
前記撮像ステップにおいて得られた撮像画像を記録する記録ステップであって、記録モードとして、前記撮像画像を前記アスペクト比設定ステップにおいて設定された設定アスペクト比に対応した設定範囲でトリミングした画像を記録する第１の記録モードと、前記撮像画像を前記設定アスペクト比にトリミングせずに記録し、さらに前記設定アスペクト比に関するアスペクト比情報を記録画像の属性情報として記録する第２の記録モードとを設定できる記録ステップと、
前記第１の記録モードと前記第２の記録モードのいずれが設定されているかを判定する判定ステップと、
前記判定ステップにおいて、前記第１の記録モードが設定されていると判定された場合には、撮像画像のうちの、前記設定アスペクト比に対応した設定範囲に含まれない範囲を表示せずに、前記設定アスペクト比に対応した設定範囲に含まれる範囲を表示し、前記判定ステップにおいて、前記第２の記録モードが設定されていると判定された場合には前記設定アスペクト比に対応した設定範囲に含まれない範囲まで撮像画像を表示し、前記撮像画像に重ねて、前記設定アスペクト比を示すアスペクト比表示を表示する表示ステップ
とを有し、
前記表示ステップは、静止画に対する設定アスペクト比と動画に対する設定アスペクト比が異なる場合であって、前記撮像画像のアスペクト比と前記静止画に対する設定アスペクト比が異なるときに少なくとも前記静止画に対する設定アスペクト比を第１のアスペクト比表示で表示し、前記撮像画像のアスペクト比と前記動画に対する設定アスペクト比が異なるときに少なくとも前記動画に対する設定アスペクト比を前記第１のアスペクト比表示とは異なる第２のアスペクト比表示で表示する
ことを特徴とする撮像装置の制御方法。
【請求項１１】
コンピュータを請求項１乃至８の何れか１項に記載される撮像装置の各手段として機能させるためのプログラム。
【請求項１２】
コンピュータを請求項１乃至８の何れか１項に記載される撮像装置の各手段として機能させるためのプログラムを格納したコンピュータ読み取り可能な記録媒体。
【発明の詳細な説明】
【技術分野】
【０００１】
本発明は撮像装置、その制御方法及びプログラム並びに記録媒体に関し、特に記録画像のアスペクト比をユーザに視覚的に認識可能にする撮像装置、その制御方法及びプログラム並びに記録媒体に関する。
【背景技術】
【０００２】
従来、撮像装置には、記録する静止画のアスペクト比情報をファインダやライブビュー画面などに表示するものがある。記録すべき画像のアスペクト比を変更可能な撮像装置には、指定されたアスペクト比で撮影画像を記録するものと、撮影画像をそのままのサイズで記録しつつ、ヘッダに指定アスペクト比情報を付加するものとがある。
【０００３】
特許文献１には、記録する静止画のアスペクト比を、フォーカシングスクリーンを使ってファインダに表示する撮像装置が記載されている。また、フォーカシングスクリーンを交換することにより、アスペクト比の表示方式を変更可能である。
【先行技術文献】
【特許文献】
【０００４】
【特許文献１】特開２００８−１４１４１１号公報
【発明の概要】
【発明が解決しようとする課題】
【０００５】
従来技術では、撮像時又は記録スタンバイ時に、撮影画像が指定のアスペクト比にトリミングされて記録されるのか、トリミング無しでヘッダ情報にアスペクト比情報が付加されて記録されるのかを判別できない。後者の場合、ヘッダ情報に記述されたアスペクト比で画像再生する装置を使用しないと、撮影者の意図に従った再生画像表示にならない。
【０００６】
このような問題は、静止画でも動画でも同様であるが、特に、動画の場合には、目的のアスペクト比への修正が困難であり、撮影自体の失敗につながる。
【０００７】
本発明は、このような不都合を解消し、記録しようとする画像に対して指定されるアスペクト比をユーザが容易に認識できるようにした撮像装置、その制御方法及びプログラム並びに記録媒体を提示することを目的とする。
【課題を解決するための手段】
【０００８】
本発明に係る撮像装置は、撮像手段と、静止画と動画で異なるアスペクト比を設定できるアスペクト比設定手段と、前記撮像手段による撮像画像を記録する記録手段であって、記録モードとして、前記撮像画像を前記アスペクト比設定手段で設定された設定アスペクト比に対応した設定範囲でトリミングした画像を記録する第１の記録モードと、前記撮像画像を前記設定アスペクト比にトリミングせずに記録し、さらに前記設定アスペクト比に関するアスペクト比情報を記録画像の属性情報として記録する第２の記録モードとを設定できる記録手段と、前記第１の記録モードと前記第２の記録モードのいずれが設定されているかを判定する判定手段と、前記判定手段により、前記第１の記録モードが設定されていると判定された場合には、撮像画像のうちの、前記設定アスペクト比に対応した設定範囲に含まれない範囲を表示せずに、前記設定アスペクト比に対応した設定範囲に含まれる範囲を表示し、前記判定手段により、前記第２の記録モードが設定されていると判定された場合には前記設定アスペクト比に対応した設定範囲に含まれない範囲まで撮像画像を表示し、前記撮像画像に重ねて、前記設定アスペクト比を示すアスペクト比表示を表示する表示手段とを有し、前記判定手段により、前記第１の記録モードが設定されていると判定された場合において、前記表示手段は、静止画と動画に対して同じ設定アスペクト比が設定されたときに、該設定アスペクト比に対応した設定範囲に含まれない範囲を表示せず、前記アスペクト比設定手段により静止画と動画に異なる設定アスペクト比が設定されたときに、静止画に設定された設定アスペクト比に対応した設定範囲に含まれる範囲と、静止画に設定された設定アスペクト比に対応した設定範囲に含まれない範囲のうち動画に設定された設定アスペクト比に対応した設定範囲に含まれる範囲とを表示することを特徴とする。
【発明の効果】
【００１２】
本発明によれば、アスペクト比表示により、記録される画像がトリミングされるのか、トリミングせずヘッダ情報にアスペクト比情報が付加されるのかを視覚的に判別できる。また、記録される画像のアスペクト比を正確に把握できる。
【図面の簡単な説明】
【００１３】
【図１】本発明の一実施例の概略構成ブロック図である。
【図２】記録画像の記録画質とアスペクト比を設定する動作のフローチャートである。
【図３】設定アスペクト比を表示する動作のフローチャートである。
【図４】設定アスペクト比の表示例である。
【図５】静止画の記録画像とアスペクト比を設定し、動画のアスペクト比を設定する動作のフローチャートである。
【図６】静止画と動画の設定アスペクト比を表示する動作のフローチャートである。
【図７】図６の場合の、設定アスペクト比の表示例である。
【発明を実施するための形態】
【００１４】
以下、図面を参照して、本発明の実施例を詳細に説明する。
【実施例１】
【００１５】
図１は、本発明に係る撮像装置の一実施例の概略構成ブロック図を示す。本実施例の撮像装置１は、例えば、デジタルカメラであり、ＣＣＤ又はＣＭＯＳ等のイメージセンサにより被写体光学像を電気信号に変換し、デジタル画像データとして外部に出力又は記録媒体に記録する。必要に応じて、現像処理、画像データファイル形式に応じた圧縮符号化処理及びファイル生成処理等が行われる。例えば、デジタルカメラの画像データ形式には、静止画に対してＲＡＷ形式、ＪＰＥＧ形式及びＴＩＦＦ方式などがあり、動画には、ＭｏｔｉｏｎＪＰＥＧ方式及びＭＰＥＧ方式などがある。
【００１６】
撮像装置１は、光学ユニット１０１、撮像部１０２、１次記憶装置１０３、２次記憶装置１０４、ＣＰＵ１０５、表示部１０６及び入力部１０７を備えている。
【００１７】
光学ユニット１０１は、レンズ及び絞り等の光学系からなる。光学ユニット１０１は着脱可能な交換式であっても、着脱不可の固定式でもよい。
【００１８】
撮像部１０２は、光学ユニット１０１による被写体光学像を画像信号に変換する撮像素子、いわゆるイメージセンサと、撮像素子の出力画像信号をデジタル化するＡ／Ｄ変換器を有する。撮像部１０２はまた、自動焦点制御回路（ＡＦ）及び自動絞り制御回路（ＡＥ）を有する。システム制御回路となるＣＰＵ１０５が、撮像部１０２から出力される画像データを、予め設定された形式に従った画像データファイルに変換する。
【００１９】
１次記憶装置１０３は、例えば、ＲＡＭに代表される書き込み可能な高速の記憶装置である。１次記憶装置１０３は、例えば、ＯＳ（オペレーティングシステム）や各種のプログラム及び各種のデータ等がロードされ、ＣＰＵ１０５がＯＳ及び各種のプログラム等を実行する際の作業領域として使用される。
【００２０】
２次記憶装置１０４は、例えば、ハードディスクドライブ（ＨＤＤ）、フラッシュメモリ又はＣＤ−ＲＯＭドライブ等に代表される不揮発性の記憶装置である。２次記憶装置１０４は、ＯＳ、各種のプログラム及び各種のデータ等の永続的な記憶領域として使用される他に、短期的な各種のデータ等の記憶領域としても使用される。
【００２１】
ＣＰＵ１０５は、撮像装置１における動作を統括的に制御する。ＣＰＵ１０５はまた、撮像部１０２による撮像画像をそのまま又は現像処理して、２次記憶装置１０４に記録する記録手段として機能する。
【００２２】
表示部１０６は、例えばファインダ又は液晶表示装置（ＬＣＤ）からなる。ファインダは、目で覗いて構図を決めたりピントを合わせたりするのに用いられる。また、ＬＣＤは、撮像装置１の各種設定を行ったり閲覧したりするためのメニュー画面、各種メッセージ、ライブビュー画面及び記録画像等を表示することに使用される。
【００２３】
入力部１０７は釦等の操作部材を有しており、撮像装置１に対するユーザの直接操作による入力を受け付ける。
【００２４】
光学ユニット１０１、撮像部１０２、１次記憶装置１０３、２次記憶装置１０４、ＣＰＵ１０５、表示部１０６及び入力部１０７の一部が、撮像装置１以外の装置に配置されても良い。
【００２５】
設定されたアスペクト比に基づく範囲外の画像も記録するか否かで、ライブビュー中に行うアスペクト比を示す表示（アスペクト比表示）の表示形態を変更する動作を説明する。
【００２６】
撮像装置１は、ＲＡＷ画像（現像処理を施す前の画像）の記録と、現像後の画像（例えばＪＰＥＧ画像）の記録を選択可能である。撮像画像を現像して記録する場合、ユーザによって設定されたアスペクト比でトリミングを行った画像を記録する。従って、記録された画像を再生する場合、再生画像は、撮影時に設定されたアスペクト比で表示される。
【００２７】
撮像装置１は、撮像画像を現像せずにＲＡＷ画像として記録する場合、設定されたアスペクト比に関わらず、撮像素子で撮像された画像の全範囲を記録する。その上で、設定されたアスペクト比を示す情報をＲＡＷ画像のヘッダ情報として記録する。このように記録されたＲＡＷ画像を再生する場合、撮像装置１は、ヘッダに含まれるアスペクト比情報で指定されたアスペクト比にＲＡＷ画像をトリミングして表示する。また、ＲＡＷ画像に対して撮影後に現像処理を施す場合には、指定されたアスペクト比にトリミングして現像又は表示する。
【００２８】
図２は、記録すべき静止画の記録画質とアスペクト比を設定する動作例のフローチャートを示す。
【００２９】
Ｓ２０１では、ユーザは入力部１０７を操作して、記録する静止画の記録画質を撮像装置１に入力する。記録画質は例えば、記録する静止画のアスペクト比設定が撮像素子のアスペクト比と同じときの画像サイズ、及び記録形式である。記録形式には、先に説明したように、撮像素子から出力される画像信号をデジタル変換して記録するＲＡＷ形式と、撮像素子から出力される画像信号をデジタル変換した後、ＪＰＥＧ方式で圧縮して記録するＪＰＥＧ形式などがある。ユーザは、ＲＡＷ形式のみ記録、ＪＰＥＧ形式のみ記録、及びＲＡＷ形式とＪＰＥＧ形式の両方を記録の中から１つを選択できる。この入力は、例えば、静止画の記録画質を設定するためのメニュー画面に対して行われる。
【００３０】
Ｓ２０２では、ＣＰＵ１０５は、Ｓ２０１で入力された記録画質設定を１次記憶装置１０３に記録する。
【００３１】
Ｓ２０３では、ユーザは、入力部１０７により、記録する静止画のアスペクト比を入力する。入力できるアスペクト比には、例えば、３：２、４：３、１６：９、及び１：１等がある。
【００３２】
Ｓ２０４では、ＣＰＵ１０５は、Ｓ２０３で入力されたアスペクト比の設定値を１次記憶装置１０３に記録し、処理を終了する。
【００３３】
設定アスペクト比が撮像素子のアスペクト比と異なり、且つ記録形式がＪＰＥＧ形式の場合、ＣＰＵ１０５は、設定されたアスペクト比に従い撮像画像をトリミングして記録する。他方、設定アスペクト比が撮像素子のアスペクト比と異なり、且つ記録形式がＲＡＷ形式の場合、ＣＰＵ１０５は、撮像画像をトリミングせずに、設定アスペクト比を記録画像のヘッダ情報にアスペクト比情報として付加する。本明細書では、撮像画像を設定アスペクト比にトリミングして記録する記録モードをトリミング記録モードと呼ぶ。また、撮像画像を設定アスペクト比でトリミングすること無しに、記録データのヘッダに設定アスペクト比を示すアスペクト情報を埋め込む記録モードをアスペクト比付加記録モードと呼ぶ。
【００３４】
図３は、設定アスペクト比をユーザに視覚的に認識させる動作のフローチャートを示す。
【００３５】
Ｓ３０１では、ＣＰＵ１０５は、Ｓ２０４で設定したアスペクト比が撮像素子のアスペクト比と異なるかどうかを判定する。設定アスペクト比が撮像素子のアスペクト比と異なる場合は、Ｓ３０２に進む。設定アスペクト比が撮像素子のアスペクト比と同じ場合は、Ｓ３０５に進む。
【００３６】
Ｓ３０２では、ＣＰＵ１０５は、Ｓ２０２で設定した記録画質から、記録する静止画のヘッダにアスペクト比情報を付加するかどうかを判定する。すなわち、トリミング記録モードかアスペクト比付加記録モードかを判定する。記録する静止画のヘッダにアスペクト比情報を付加する場合、すなわち、アスペクト比付加記録モードの場合、Ｓ３０３に進む。記録する静止画のヘッダにアスペクト比情報を付加しない場合、すなわち、トリミング記録モードの場合、Ｓ３０４に進む。
【００３７】
Ｓ３０３では、ＣＰＵ１０５は、表示部１０６に、図４（ａ）に例示するように、Ｓ２０４で設定した設定アスペクト比に応じたアスペクト比の縁線を示す線４１ａを重畳表示し、処理を終了する。尚、このアスペクト比表示は、線でなく、透過帯などであってもよい。表示されている画像はライブビュー画像であり、線４１ａより内側が、設定アスペクト比に含まれる部分である。線４１ａより外側は、設定アスペクト比に含まれる範囲ではないが、記録されるので、この部分の撮像画像を表示する。ユーザはこのような画面を見ることで、撮像画像の全範囲がどのような画像であり、そのうちのどの部分が設定アスペクト比に含まれる部分かどうかを視覚的に確認できる。
【００３８】
Ｓ３０４では、ＣＰＵ１０５は、表示部１０６に、図４（ｂ）に示すように、Ｓ２０４で設定した設定アスペクト比の外側部分を非透過帯４１ｂで表示し、処理を終了する。非透過帯（ここではマスク画像）４１ｂより内側が、設定アスペクト比に含まれる部分である。非透過帯４１ｂが表示される部分は、撮像されても記録されない範囲である。このように、撮像しても記録されない範囲の画像を表示しないことで、ユーザは、設定アスペクト比に基づく領域より外側が記録されないことを明確に把握できる。逆にいえば、記録されない範囲を記録されると誤認する可能性を低減できる。
【００３９】
Ｓ３０５では、ＣＰＵ１０５は、表示部１０６に、図４（ｃ）に示すように、Ｓ２０４で設定した設定アスペクト比に示す線等を表示せず、処理を終了する。図４（ｃ）では、撮像素子で撮像される画像の全範囲が表示される。
【００４０】
このように、本実施例によれば、撮像画像を設定アスペクト比に従ってトリミングして記録する場合には、撮像画像の、設定アスペクト比の外側部分を非透過帯で表示又は実質的に表示しない。また、設定アスペクト比を示す情報をヘッダに付加し、撮像画像をトリミングせずに記録する場合には、設定アスペクト比の範囲をその縁線で表示するようにした。これにより、ユーザは、表示画面上で、撮像画像が設定アスペクト比に従ってトリミングされて記録されるのか、トリミングされずにヘッダにアスペクト比情報として付加されるのかを容易に認識できる。
【実施例２】
【００４１】
図５は、静止画と動画でアスペクト比を設定できる動作のフローチャートを示す。
【００４２】
Ｓ５０１〜Ｓ５０４の動作は、それぞれ、Ｓ２０１〜Ｓ２０４と同じ処理なので、説明を省略する。
【００４３】
Ｓ５０５では、ユーザは、入力部１０７を操作して、記録する動画のアスペクト比を撮像装置１に入力する。動画のアスペクト比には、例えば、３：２、４：３、１６：９、及び１：１等がある。
【００４４】
Ｓ５０６では、ＣＰＵ１０５は、Ｓ５０５で入力された動画の設定アスペクト比を１次記憶装置１０３に記録し、処理を終了する。
【００４５】
図２の場合と同様に、静止画の設定アスペクト比が撮像素子のアスペクト比と異なり、且つ記録形式がＪＰＥＧ形式の場合、ＣＰＵ１０５は、設定されたアスペクト比に従い撮像画像をトリミングして記録する。他方、静止画の設定アスペクト比が撮像素子のアスペクト比と異なり、且つ記録形式がＲＡＷ形式の場合、ＣＰＵ１０５は、撮像画像をトリミングせずに、設定アスペクト比を記録画像のヘッダ情報にアスペクト比情報として付加する。
【００４６】
図６は、静止画及び動画の設定アスペクト比をユーザに認識させる表示動作のフローチャートを示す。ここでは、動画に対する設定アスペクト比は、設定アスペクト比の外側に位置する部分に非透過帯を配置することで、ユーザに視覚的に認識可能にする。
【００４７】
Ｓ６０１では、ＣＰＵ１０５は、Ｓ５０４で設定した静止画の設定アスペクト比が撮像素子のアスペクト比と異なるかどうかを判定する。静止画の設定アスペクト比が撮像素子のアスペクト比と異なる場合は、Ｓ６０２に進む。静止画の設定アスペクト比が撮像素子のアスペクト比と同じ場合は、Ｓ６０９に進む。
【００４８】
Ｓ６０２では、ＣＰＵ１０５は、Ｓ５０６で設定した動画の設定アスペクト比と、Ｓ５０４で設定した静止画の設定アスペクト比が異なるかどうかを判定する。両設定アスペクト比が互いに異なる場合は、Ｓ６０３に進み、同じ場合には、Ｓ６０６に進む。
【００４９】
Ｓ６０３では、ＣＰＵ１０５は、Ｓ５０６で設定した動画の設定アスペクト比が撮像素子のアスペクト比と異なるかどうかを判定する。動画の設定アスペクト比が撮像素子のアスペクト比と異なる場合は、Ｓ６０４に進む。動画の設定アスペクト比が撮像素子のアスペクト比と同じ場合は、Ｓ６０５に進む。
【００５０】
Ｓ６０４では、ＣＰＵ１０５は、表示部１０６に、図７（ａ）に例示するように、Ｓ５０６で設定した動画の設定アスペクト比の外側に透過帯７１ａを配置して表示する。ＣＰＵ１０５はまた、Ｓ５０４で設定した静止画の設定アスペクト比に対しては、設定アスペクト比に応じたアスペクト比の縁線を示す線７２ｂを重畳表示する。
【００５１】
Ｓ６０５では、ＣＰＵ１０５は、表示部１０６に、図７（ｂ）に例示するように、動画の設定アスペクト比を示すものを表示せず、静止画の設定アスペクト比を示す線７１ｂで表示する。もちろん、静止画の設定アスペクト比を示す表示は、線でなく、透過帯などでもよい。
【００５２】
Ｓ６０６では、ＣＰＵ１０５は、静止画の設定記録画質から、記録する静止画のヘッダにアスペクト比情報を付加するかどうかを判定する。記録する静止画のヘッダにアスペクト比情報を付加する場合は、Ｓ６０７に進む。記録する静止画のヘッダにアスペクト比情報を付加しない場合は、Ｓ６０８に進む。
【００５３】
Ｓ６０７では、ＣＰＵ１０５は、表示部１０６に、図７（ｃ）に例示するように、静止画の設定アスペクト比と動画の設定アスペクト比を透過帯７１ｃで表示する。
【００５４】
Ｓ６０８では、ＣＰＵ１０５は、表示部１０６に、図７（ｄ）に例示するように、静止画の設定アスペクト比と動画の設定アスペクト比を非透過帯７１ｄで表示する。
【００５５】
Ｓ６０９では、ＣＰＵ１０５は、静止画の設定アスペクト比と動画の設定アスペクト比設定が異なるかどうかを判定する。動画のアスペクト比設定と静止画のアスペクト比設定が異なる場合は、Ｓ６１０に進む。動画のアスペクト比設定と静止画のアスペクト比設定が同じ場合は、Ｓ６１１に進む。
【００５６】
Ｓ６１０では、ＣＰＵ１０５は、表示部１０６に、図７（ｅ）に例示するように、静止画の設定アスペクト比を示す線などを表示しないが、動画の設定アスペクト比の外側に透過帯７１ｅを配置して表示する。
【００５７】
Ｓ６１１では、ＣＰＵ１０５は、表示部１０６に、図７（ｆ）に例示するように、静止画の設定アスペクト比と動画の設定アスペクト比を示す何も表示しない。
【００５８】
ＣＰＵ１０５は、ステップＳＳ６０４，Ｓ６０５，Ｓ６０７，Ｓ６０８，Ｓ６１０，Ｓ６１１の後、処理を終了する。
【００５９】
動画の設定アスペクト比の範囲を示す線又は帯と、静止画の設定アスペクト比の範囲を示す線又は帯を互いに異なる態様，例えば色で表示することにより、ユーザは，容易に互いを明確に識別できるようになる。
【００６０】
本実施例によれば、静止画と動画の設定アスペクト比に合わせて、設定アスペクト比の表示形態を変更するようにした。これにより、ユーザは、表示画面上で、静止画がトリミングして記録されるのか、トリミング無しでヘッダ情報にアスペクト比情報が付加されて記録されるのかを識別できる。記録される動画のアスペクト比も視覚的に確認できる。
【００６１】
ＣＰＵ１０５の機能は１つのハードウェアが実現しても、複数のハードウェアが処理を分担することで、実現しても良い。もちろん、そのような機能は、ＣＰＵ１０５上で動作する制御プログラムとして実装される。
【００６２】
本発明をその好適な実施例に基づいて詳述してきたが、本発明はこれら特定の実施例に限られるものではなく、この発明の要旨を逸脱しない範囲の様々な形態も本発明に含まれる。さらに、上述した各実施例は本発明の一実施例を示すものにすぎず、各実施形態を適宜組み合わせることも可能である。
【００６３】
本発明は、以下の処理を実行することによっても実現される。即ち、上述した実施例の機能を実現するソフトウェア（プログラム）をネットワーク又は各種記録媒体を介してシステム又は装置に供給し、そのシステム又は装置のコンピュータ（又はＣＰＵやＭＰＵ等）がプログラムコードを読み出して実行する処理である。この場合、そのような制御プログラム、及び当該制御プログラムを記憶した記録媒体は本発明を構成することになる。
【図１】
0005677008.tif 000002
【図２】
0005677008.tif 000003
【図３】
0005677008.tif 000004
【図４】
0005677008.tif 000005
【図５】
0005677008.tif 000006
【図６】
0005677008.tif 000007
【図７】
0005677008.tif 000008